(57)【要約】【課題】  ハイライト又はマルチカラーディスプレイデバイスであって、その各ディスプレイセルは、高品質カラー状態を表示可能であるディスプレイデバイスのための解を提供する。【解決手段】  第１タイプの顔料粒子、第２タイプの顔料粒子及び第３タイプの顔料粒子を含む電気粘性流体であって、それらの顔料粒子の全ては、溶媒又は溶媒混合物に分散され、第１タイプの顔料粒子と第２タイプの顔料粒子は、逆の極性の電荷を帯び；第３タイプの顔料粒子は、第２タイプの顔料粒子と同じ極性の電荷を有するが、より強度が低く；及び第２タイプの顔料粒子は、しきい電圧を有する、電気泳動流体である。【選択図】図２
2019074768.tif 000002
【特許請求の範囲】
【請求項１】
第１タイプの顔料粒子、第２タイプの顔料粒子及び第３タイプの顔料粒子を含む電気泳動流体であって、それらの全ては、溶媒又は溶媒混合物に分散され、
（ａ）第１タイプの顔料粒子と第２タイプの顔料粒子は、反対の極性の電荷を帯び；
（ｂ）第３タイプの顔料粒子は、第２タイプの顔料粒子と同じ極性の電荷を帯びるが、より強度が低く；
（ｃ）第２タイプの顔料粒子は、しきい電圧を有する、電気泳動流体。
【請求項２】
第１タイプの顔料粒子と、第２タイプの顔料粒子は、各々、黒色及び白色である、請求項１に記載の電気泳動流体。
【請求項３】
第３タイプの顔料粒子は、白色でも、黒色でもない、請求項１に記載の電気泳動流体。
【請求項４】
第３タイプの顔料粒子は、赤色、緑色及び青色からなる群から選択される色である、請求項３に記載の電気泳動流体。
【請求項５】
第３タイプの顔料粒子は、第１タイプの顔料粒子又は第２タイプの顔料粒子より大きい、請求項１に記載の電気泳動流体。
【請求項６】
第３タイプの顔料粒子は、第１タイプの顔料粒子又は第２タイプの顔料粒子より、約２倍〜約５０倍大きい、請求項５に記載の電気泳動流体。
【請求項７】
第３タイプの粒子は、第１タイプの顔料粒子又は第２タイプの顔料粒子の電荷強度の約５０％より小さい電荷レベルを有する、請求項１に記載の電気泳動流体。
【請求項８】
しきい電圧は、第２タイプの顔料粒子の固有の特性である、請求項１に記載の電気泳動流体。
【請求項９】
しきい電圧は、添加剤によって誘起される性質である、請求項１に記載の電気泳動流体。
【請求項１０】
しきい電圧は、反対の電荷を帯びる粒子の相互作用による、請求項１に記載の電気泳動流体。
【請求項１１】
請求項１に記載の流体で満たされるディスプレイセルを含むディスプレイデバイスであって、
共通電極層と画素電極層との間に、ディスプレイセルが挟まれる、ディスプレイデバイス。
【請求項１２】
ディスプレイセルは、マイクロカップである、請求項１１に記載のディスプレイデバイス。
【請求項１３】
ディスプレイセルは、マイクロカプセルである、請求項１１に記載のディスプレイデバイス。
【請求項１４】
ディスプレイセルは、画素電極と整列する、請求項１１に記載のディスプレイデバイス。
【請求項１５】
ディスプレイセルは、画素電極と整列しない、請求項１１に記載のディスプレイデバイス。
【請求項１６】
第３タイプの顔料粒子は、全てのディスプレイセルで同色である、請求項１１に記載のディスプレイデバイス。
【請求項１７】
第３タイプの顔料粒子は、ディスプレイセルで異なる色である、請求項１１に記載のディスプレイデバイス。
【請求項１８】
第２タイプの顔料粒子のしきい電圧と同じ又は低い電圧を印加することによって、第１タイプの顔料粒子の色の状態から、第３タイプの顔料粒子の色の状態に駆動することを含む、請求項１１に記載のディスプレイデバイスの駆動方法。
【請求項１９】
第１タイプの顔料粒子と、第２タイプの顔料粒子は、各々、白色及び黒色である、請求項１８に記載の方法。
【請求項２０】
第３タイプの顔料粒子は、白色でも、黒色でもない、請求項１８に記載の方法。
【請求項２１】
第３タイプの顔料粒子は、赤色、緑色、青色、イエロー、シアン及びマゼンタからなる群から選択される色である、請求項２０に記載の方法。
【請求項２２】
第３タイプの粒子は、第１タイプの顔料粒子又は第２タイプの顔料粒子の電荷強度の５０％より小さい電荷レベルを有する、請求項１８に記載の方法。
【請求項２３】
第３タイプの顔料粒子は、第１タイプの顔料粒子及び第２タイプの顔料粒子より大きい、請求項１８に記載の方法。
【請求項２４】
第３タイプの顔料粒子は、第１タイプの顔料粒子又は第２タイプの顔料粒子より、約２倍〜約５０倍大きい、請求項２３に記載の方法。
【請求項２５】
ディスプレイが、第１タイプの顔料粒子の色の状態に駆動される前に、振動波形を加えることを更に含む、請求項１８に記載の方法。
【請求項２６】
振動波形は、多くのサイクルの間に、一組の反対の駆動パルスを繰り返すことからなる、請求項２５に記載の方法。
【請求項２７】
第１タイプの顔料粒子の完全な色の状態から、第２タイプの顔料粒子の完全な色の状態に駆動するために、又はその逆のために、必要とされる時間の半分以下の時間、各々の駆動パルスを印加する、請求項２５に記載の方法。
【請求項２８】
第３タイプの粒子の色が、視野側で見られ、第１タイプの顔料粒子と、第２タイプの顔料粒子は、視野側と反対側に集まり、第１タイプの顔料粒子の色と、第２タイプの顔料粒子の色の中間色を生ずる、請求項１８に記載の方法。
【請求項２９】
印加電圧は、第２タイプの粒子と同じ極性を有する、請求項１８に記載の方法。
【発明の詳細な説明】
【技術分野】
【０００１】
本発明は、カラーディスプレイデバイス（カラー表示デバイス：color display device）であって、その中で各ディスプレイセルは、高品質カラー状態（又は色状態：color state）を表示することができるカラーディスプレイデバイス、及びそのような電気泳動ディスプレイ用の電気泳動流体に向けられている。
【背景技術】
【０００２】
カラーディスプレイを達成するために、カラーフィルターがしばしば使用される。最も一般的なアプローチ（又はやり方）は、赤色、緑色及び青色を表示するために、画素（又はピクセル）で構成されたディスプレイの白／黒のサブピクセルのトップにカラーフィルターを付けることである。赤色を所望の場合、緑色と青色のサブピクセルは黒色状態に変えられ、唯一の教示される色は赤色である。黒色を所望の場合、全ての三種のサブピクセルを黒色状態に変える。白色を所望の場合、三種のサブピクセルは各々赤色、緑色及び青色に変えられ、その結果、白色状態が、観察者（見る人又は視聴者）に見られる。
【０００３】
そのような技術の短所は、各々のサブピクセルは、所望の白色状態の約１／３の反射率を有するので、白色状態は、相当薄暗い。これを補償するために、白色状態及び黒色状態のみを表示可能な第四のサブピクセルを追加することができ、その結果、白色のレベルは、赤色、緑色又は青色レベルの犠牲で二倍になる（ここで、各サブピクセルは、ピクセルの領域の１／４のみである）。より明るい色を、白色ピクセルから光を加えることによって達成することができるが、これは、色域の犠牲で達成され、色が極めて明るく不飽和であることを生ずる。同様の結果を三種のサブピクセルの彩度を減少させることで達成することができる。これらのアプローチを用いたとしても、白色レベルは、通常実質的に、白黒ディスプレイのレベルの半分未満であり、そのことが、十分に読みとり可能な白黒の明るさとコントラストを要する、例えばｅ−リーダー（e-readers）又はディスプレイなどの、ディスプレイデバイス用に、許容できない選択肢にする。
【発明の概要】
【発明が解決しようとする課題】
【０００４】
発明の要約
本発明は、各ディスプレイセルが高度な飽和色状態（saturated color state）を表示することができるカラーディスプレイデバイスのための現実的な解を提供するのみならず、カラーフィルターの必要性を除去する。
【課題を解決するための手段】
【０００５】
より具体的には、本発明は、第１タイプの顔料粒子、第２タイプの顔料粒子及び第３タイプの顔料粒子を含む電気泳動流体であって、
それらの粒子の全ては、溶媒又は溶媒混合物に分散され、
（ａ）第１タイプの顔料粒子と第２タイプの顔料粒子は、反対の極性に帯電し；
（ｂ）第３タイプの顔料粒子は、わずかに帯電し；
（ｃ）三種の顔料粒子は、異なるレベルのしきい電圧、又は異なるレベルの移動性（mobility：モビリティー）、又は両方を有する、電気泳動流体に向けられている。
【０００６】
一の態様において、第１タイプの顔料粒子と、第２タイプの顔料粒子は、各々、黒色及び白色である。
【０００７】
一の態様において、第３タイプの顔料粒子は、白色でも、黒色でもない。
【０００８】
一の態様において、第３タイプの顔料粒子は、赤色、緑色、青色、イエロー（又は黄色）、シアン及びマゼンタからなる群から選択される色である。
【０００９】
一の態様において、三タイプの顔料粒子は、異なるレベルのしきい電圧を有する。第１タイプと第２タイプの粒子の一方は、しきい電圧を有することができる。第３タイプの粒子は、第１又は第２タイプの粒子より大きくなりえる。第３タイプの粒子は、第１又は第２タイプの粒子より、約２倍〜約５０倍大きくなりえる。第３タイプの粒子は、しきい電圧を有するタイプの粒子と同じ極性の電荷を帯びることができる。第３タイプの粒子は、第１タイプ又は第２タイプの粒子の電荷強度の５０％より小さい電荷レベルを有することができる。
【００１０】
一の態様において、三タイプの顔料粒子は、異なるレベルの移動性（又は移動度）を有する。第１タイプの顔料粒子の電荷強度は、第２タイプの顔料粒子の電荷強度の少なくとも約２倍であり得、第３タイプの粒子の電荷強度は、第２タイプの粒子の電荷強度の約５０％未満であり得る。第３タイプの粒子は、第１又は第２タイプの粒子より大きくてよい。第３タイプの粒子は、第１又は第２タイプの粒子より約２倍〜約５０倍大きくてよい。
【００１１】
一の態様において、本発明の流体は、ディスプレイセルに充填され、共通電極層と画素電極の層との間にサンドイッチされる（又は挟まれる）。ディスプレイセルは、マイクロカップ又はマイクロカプセルであり得る。
【００１２】
一の態様において、ディスプレイセルは、画素電極と整列される。他の一の態様では、ディスプレイセルは、画素電極と整列されない。
【００１３】
一の態様では、第３タイプの顔料粒子は、全てのディスプレイセルで同じ色である。他の一の態様では、第３タイプの顔料粒子は、ディスプレイセルで異なる色である。
【００１４】
一の態様において、本発明の流体は、共通電極と画素電極（又はピクセル電極）との間の電位差によって駆動される。他の一の態様において、少なくとも三種の異なるレベルの電位差が共通電極層と画素電極に印加される。
【００１５】
一の態様において、第１タイプの顔料粒子、第２タイプの顔料粒子及び第３タイプの顔料粒子を含み、その粒子の全てが溶媒又は溶媒混合物に分散された電気泳動流体で満たされたディスプレイセルを含む電気泳動ディスプレイの駆動方法（driving method）であって、
（ａ）第１タイプの顔料粒子と第２タイプの顔料粒子は、逆の極性の電荷を帯び；
（ｂ）第３タイプの顔料粒子は、第２タイプの顔料粒子と同じ極性の電荷を帯びるが、より強度が小さい；及び
（ｃ）第２タイプの顔料粒子は、しきい電圧を有し、
第２タイプの顔料粒子のしきい電圧と同じ又はより低い電圧を印加することによって、第１タイプの顔料粒子の色の状態（着色状態又はカラー状態：color state）から、第３タイプの顔料粒子の色の状態へ駆動することを含む、駆動方法。
【００１６】
一の態様において、印加される電圧は、第２タイプの粒子と同じ極性を有する。
【００１７】
一の態様において、方法は、ディスプレイを、第１タイプの顔料粒子の色の状態に駆動する前に、振動波形を印加することを更に含む。
【００１８】
一の態様において、第３タイプの顔料粒子の色が視野側で見られる場合、第１タイプの粒子及び第２タイプの粒子は、視野側と反対側に集まり、第１タイプの粒子と第２タイプの粒子の色の中間の色を生ずる。
【図面の簡単な説明】
【００１９】
【図１】図１は、本発明の電気泳動ディスプレイデバイスを示す。
【図２】図２は、本発明の一の態様を示す。
【図３】図３は、本発明の一の態様を示す。
【図４】図４は、本発明の一の態様を示す。
【図５】図５は、本発明の別の態様を示す。
【図６】図６は、ディスプレイセルが、画素電極と、各々、整列する又は整列していない、二つの選択肢を示す。
【図７】図７は、本発明のフルカラーディスプレイを、如何に実現するかを示す。
【図８】図８は、振動波形（又はシェイキング波形：shaking waveform）の例を示す。
【発明を実施するための形態】
【００２０】
本発明者等は、カラーディスプレイ用の新規な基本概念を提案した。
【００２１】
本発明の電気泳動流体は、誘電溶媒又は溶媒混合物中に分散した３タイプの顔料粒子を含む。説明を容易にするために、図１に示すように、白色粒子（１１）、黒色粒子（１２）及び着色粒子（色粒子又はカラー粒子：color particle）（１３）として、３タイプの顔料粒子を参照することができる。しかし、３タイプの顔料粒子が、目視で対照的な色を有する限り、本発明の範囲は、いずれの色の顔料粒子も広範に含むことが理解される。
【００２２】
二つの電極層の間にディスプレイ流体は、挟まれる。電極層の一つは、透明電極層（例えば、ＩＴＯ）である共通電極（又はコモン電極：common electrode）（１４）であり、ディスプレイデバイスの上面全体に広がる。他の電極層（１５）は、画素電極（１５ａ）の層である。流体によって表示される色の状態（着色状態又はカラーステイト：color state）は、共通電極と画素電極との間に印加される電圧によって決められる。
【００２３】
画素電極は、米国特許第7,046,228号に記載されており、その内容は、参照することによって本明細書に組み込まれる。薄膜トランジスタ（ＴＦＴ）バックプレーン（backplane）を用いるアクティブマトリックス駆動が、画素電極の層のために言及されているが、電極が所望の機能を果たす限り、本発明の範囲は、他のタイプの電極アドレッシング（electrode addressing）を含む。
【００２４】
白色粒子（１１）について、それらは、無機顔料、例えば、TiO２、ZrO2、ZnO、Al2O３、 Sb2O3、BaSO4、PbSO4などから作ることができる。
【００２５】
黒色粒子（１２）について、それらは、C.I.ピグメントブラック２６又は２８など（例えば、マンガンフェライトブラックスピネル又は銅クロマイトブラックスピネル）又はカーボンブラックから作ることができる。
【００２６】
第３タイプの顔料粒子は、例えば、赤色（又はレッド）、緑色（又はグリーン）、青色（又はブルー）、マゼンタ、シアン又はイエロー（又は黄色）等の色であってよい。このタイプの粒子のための顔料は、C.I.ピグメントPR254、PR122、PR149、PG36、PG58、PG7、PB28、PB15:3、PY138、PY150、PY155又はPY20を含み得るが、これらに限定されるものではない。それらは、カラーインデックスハンドブックである“New Pigment Application Technology”（CMC Publishing Co, Ltd, 1986）及び“Printing Ink Technology”（CMC Publishing Co, Ltd, 1984）に記載の通常使用される有機顔料である。クラリアント社（Clariant）のホスタパーム（Hostaperm：商品名）Red D3G 70-EDS、ホスタパーム Pink E-EDS、 PV fast red D3G、ホスタパーム red D3G 70、ホスタパーム Blue B2G-EDS、ホスタパーム Yellow H4G-EDS、ホスタパーム Green GNX、BASF社 イルガジン（Irgazine）red L 3630、シンクアジア（Cinquasia）Red L 4100 HD、及びイルガジンRed L 3660 HD；サンケミカル社（Sun Chemical）フタロシアニンブルー、フタロシアニングリーン、ジアリライドイエロー（diarylide yellow）又はジアリアイドＡＡＯＴイエローを例示できる。
【００２７】
流体中の３タイプの顔料粒子の割合は、様々であり得る。例えば、黒色粒子は、電気泳動流体の約0.1体積% 〜 10体積%であり、好ましくは 0.5体積% 〜 5体積%をとり得；白色粒子は、電気泳動流体の約1体積% 〜 50体積%であり、好ましくは 5体積% 〜 15体積%をとり得；及び着色粒子は、電気泳動流体の約2体積% 〜 20体積%であり、好ましくは 4体積% 〜 10体積%をとり得る。
【００２８】
スイッチング速度、画像双安定性及び信頼性等のディスプレイデバイスの性能を向上させるために添加剤として含まれる流体中に他の粒状物質がありえる。
【００２９】
３タイプの顔料粒子が分散される溶媒は、無色透明である。高い粒子移動度のために、低粘度で、約２〜約３０、好ましくは約２〜約１５の範囲の誘電率を有することが好ましい。適切な誘電溶媒の例は、炭化水素、例えば、イソパー（isopar）、デカヒドロナフタレン（デカリン）、５−エチリデン−２−ノルボルネン、脂肪油、パラフィンオイル、シリコン流体、芳香族炭化水素、例えば、トルエン、キシレン、フェニルキシリルエタン、ドデシルベンゼン又はアルキルナフタレン、ハロゲン溶媒、例えば、パーフルオロデカリン、パーフルオロトルエン、パーフルオロキシレン、ジクロロベンゾトリフルオリド、３，４，５−トリクロロベンゾトリフルオリド、クロロペンタフルオロベンゼン、ジクロロノナン又はペンタクロロベンゼン、及びパーフルオロ化（又は全フッ素置換）溶媒、例えば、ミネソタ州セントポールの３Ｍ社（3M Company, St. Paul MN）からFC-43, FC-70 又は FC-5060、オレゴン州ポートランドのＴＣＩアメリカ社（TCI America, Portland, Oregon）から低分子量ハロゲン含有ポリマー、例えば、ポリ（パーフルオロプロピレンオキサイド）、ニュージャージー州リバーエッジのハロカーボンプロダクト社（Halocarbon Product Corp., River Edge, NJ）からポリ（クロロトリフルオロエチレン）、例えば、ハロカーボンオイル、アウジモント社（Ausimont）からパーフルオロポリアルキルエーテル、例えば、ガルデン（Galden）又はデラウエア州のデュポン社（DuPont, Delaware）からクライトックスオイル及びグリースＫ−流体シリーズ、ダウ−コーニング社（CD-200）からポリジメチルシロキサン系シリコンオイルを含む。
【００３０】
３タイプの顔料粒子の２タイプは、逆の極性の電荷を帯び、第３タイプの顔料粒子は、わずかに（又は少し）電荷を帯びる。用語「わずかに（又は少し）電荷を帯びる（又は帯電する）：slightly charged」は、下記のセクションで規定する。
【００３１】
例えば、黒色粒子が正に帯電している場合、白色粒子は負に帯電しており、着色粒子はわずかに帯電している。言い換えれば、この例では、黒色粒子と白色粒子が帯びる電荷は、着色粒子が帯びる電荷より、強い。
【００３２】
更に、わずかに電荷を帯びる第３タイプの粒子は、より強く帯電した他の２つのタイプの粒子のいずれか一つが帯びる電荷の極性と同じ極性の電荷を有する。
【００３３】
３つのタイプの顔料粒子は、種々のサイズを有し得る。一の態様において、３つのタイプの顔料粒子の一つは、他の二つのタイプより大きい。
【００３４】
３つのタイプの顔料粒子の中で、わずかに電荷を帯びる一つのタイプの粒子は、より大きなサイズを有することが好ましいことに注意されたい。
【００３５】
例えば、黒色粒子及び白色粒子の両方とも相対的に小さく、それらのサイズ（動的光散乱によって測定される）は、約５０ｎｍから約８００ｎｍ、より好ましくは約２００ｎｍから約７００ｎｍの範囲であり得、この例では、わずかに電荷を帯びる着色粒子は、黒色粒子及び白色粒子より、好ましくは、約２倍から約５０倍、より好ましくは約２倍から約１０倍大きい。
【００３６】
本明細書において、用語「しきい電圧」とは、ディスプレイデバイスの視野側（視界側又は表示側）に顔料粒子が現れることを生じさせること無く、一群の顔料粒子に印加することができる最大のバイアス電圧として定義される。用語「視野側（viewing side）」とは、観察者（見る人：viewer）によって画像が見られるディスプレイデバイスの側をいう。
【００３７】
本発明では、３つのタイプの顔料粒子の少なくとも一種は、トランアングル電圧駆動テスト下、しきい電圧を示し得る。
【００３８】
しきい電圧は、帯電顔料粒子の固有の性質又は添加剤誘起性質（又は添加剤によって誘起される性質：additive-induced property）である。
【００３９】
前者の場合、粒子間又は粒子とある基材表面との間のある引力に依存して、しきい電圧は生ずる。しきい電圧は、逆の極性の電荷を帯びた２タイプの粒子の相互作用によって、生じ得る。
【００４０】
後者の場合、しきい電圧を達成するために、電気泳動流体のしきい値特性を誘起し又は向上するしきい剤（threshold agent）を添加することができる。しきい剤は、電気泳動流体の溶媒又は溶媒混合物中に溶解可能又は分散可能で、電荷を帯びた顔料粒子と逆の電荷を帯びる又は誘起するいずれの材料であってよい。しきい剤は、印加電圧の変化に敏感であっても敏感で無くともよい。用語「しきい剤」は、染料（又は色素）又は顔料、電解質又は高分子電解質（polyelectrolytes）、ポリマー、オリゴマー、界面活性剤、電荷制御剤などを広範に含み得る。
【００４１】
しきい剤に関する更なる情報は、米国特許第8,115,729号にみることができる。その内容は、参照することで、本明細書に組み込まれる。
【００４２】
以下は、本発明を説明する例である。
【実施例】
【００４３】
例１（ａ）
この例は、図２に示す。黒色粒子（２２）は、５Ｖのしきい電圧を有すると仮定する。従って、黒色粒子（２２）は、もし、印加電位差が５Ｖ以下ならば、視野側（視界側又は表示側：viewing side）に移動しないであろう。
【００４４】
白色顔料粒子（２１）は、負に帯電し、黒色顔料粒子（２２）は、正に帯電し、両方のタイプの顔料粒子は、着色粒子（色粒子又はカラー粒子：color particle）（２３）より小さい。
【００４５】
着色粒子（２３）は、しきい電圧を有する黒色粒子と同じ極性の電荷を帯びるが、わずかに（又は少し）電荷を帯びる。用語「わずかに（又は少し）電荷を帯びる（又は帯電する）：slightly charged」は、粒子の電荷のレベルが、黒色粒子又は白色粒子の電荷の強さの約５０％より低く、好ましくは約５％から約３０％であることを意図する。その結果、印加電位差が、黒色粒子のしきい電圧より高い場合、黒色粒子が帯びるより強い電荷強度のために、黒色粒子は、着色粒子（２３）より速く移動する。
【００４６】
図２ａでは、印加電位差が＋１５Ｖである。この場合、白色粒子（２１）は、移動して画素電極（２５）に又はその近傍に存在し、黒色粒子（２２）と着色粒子（２３）は、移動して共通電極（２４）に又はその近傍に存在する。その結果、視野側で黒色が見られる。着色粒子（２３）は、共通電極（２４）の方に移動するが、それらのより低い電荷強度とより大きなサイズのために、それらは、黒色粒子より遅く移動する。
【００４７】
図２ｂでは、−１５Ｖの電位差を印加する場合、白色粒子（２１）は、移動して共通電極（２４）に又はその近傍に存在し、黒色粒子と着色粒子は、移動して画素電極（２５）に又はその近傍に存在する。その結果、視野側で、白色が見られる。
【００４８】
着色粒子（２３）は、それらも正の電荷を帯びているので、画素電極の方に移動するが、より低い電荷強度及びより大きいサイズのために、黒色粒子より遅く移動する。
【００４９】
図２ｃでは、印加電位差は、＋５Ｖに変わる。この場合、負に帯電した白色粒子（２１）は、画素電極（２５）の方に移動する。黒色粒子（２２）は、そのしきい電圧が５Ｖなので、ほとんど動かない。着色粒子（２３）は、顕著なしきい電圧を有さないという事実から、移動して共通電極（２４）に又はその近傍に存在し、その結果、視野側で着色粒子の色が見られる。
【００５０】
図２ｂの白色状態から、図２ｃの着色状態（色の状態又はカラー状態：color state）への駆動は、次のように要約することができる：
【００５１】
第１タイプの顔料粒子、第２タイプの顔料粒子及び第３タイプの顔料粒子を含み、それらの全ては、溶媒又は溶媒混合物に分散される電気泳動流体で満たされたディスプレイセルを含む電気泳動ディスプレイの駆動方法であって、
（ａ）第１タイプの顔料粒子と第２タイプの顔料粒子は、反対の極性の電荷を帯び；
（ｂ）第３タイプの顔料粒子は、第２タイプの顔料粒子と同じ極性の電荷を有するが、より低強度であり；
（ｃ）第２タイプの顔料粒子は、しきい電圧を有し、
第１タイプの顔料粒子の色の状態から、第３タイプの顔料の色の状態に、第２タイプの顔料粒子のしきい電圧と同じ又はそれより低い電圧を印加することによって駆動することを含む、電気泳動ディスプレイの駆動方法。
【００５２】
この方法では、図２に示すように、第１タイプの顔料粒子（２１）は、白色であり、第２タイプの顔料粒子（２２）は、黒色であり、第３タイプの顔料粒子（２３）は、赤色である。
【００５３】
第３タイプの顔料の着色状態、即ち、赤色にディスプレイを駆動するために（図２ｃ参照）、第１タイプの顔料の色の状態から（図２ｂ参照）、方法は開始する。
【００５４】
図２ｂでは、第１タイプの顔料粒子（即ち、白色）は、共通電極（２４）に、又はその近傍に存在し、第２及び第３タイプの顔料粒子（即ち、黒色及び赤色）は、画素電極（２５）に又はその近傍に存在する。第２タイプの顔料粒子（即ち、黒色）のしきい電圧と同じ又はより低い電圧を印加すると、第１タイプの顔料粒子（即ち、白色）は、下方に下がり、第３タイプの顔料粒子（即ち、赤色）は、共通電極（２４）の方に上がり、視野側に到達し、そして、第２タイプの顔料粒子（即ち、黒色）は、そのしきい電圧のために、ほとんど移動しない。
【００５５】
この状況で、第３タイプの粒子の色が視野側で見られる場合、他の二つのタイプの粒子は、非視野側（視野側と反対側）で、混合され、その結果、第１タイプの粒子の色と第２タイプの粒子の色の間の中間色状態を生ずる。もし、第１及び第２タイプの粒子が、黒色と白色で有り、第３タイプの粒子が赤色である場合、図２（ｃ）のように、赤色が視野側で見られる場合、灰色が非視野側で見られる。
【００５６】
図２ｃの状況で、駆動方法は、理想的には、色の明度（即ち、黒色粒子が見えることを防止する）及び色の純度（即ち、白色粒子が見えることを防止する）の両方を確保するであろう。しかし、現実的には、この望ましい結果は、粒子サイズ分布、粒子電荷分布及び他の要因を含む、種々の理由のために、制御することが困難である。
【００５７】
これに対する一つの解は、第１タイプの顔料粒子の色の状態（即ち、白色）から、第３タイプの顔料粒子の色の状態（即ち、赤色）に、駆動する前に、振動波形（shaking waveform）を使用することである。振動波形は、多くのサイクルの間に一組の反対の駆動パルスを繰り返すことからなる。例えば、振動波形は、２０ｍｓｅｃの間に＋１５Ｖのパルス及び２０ｍｓｅｃの間に−１５Ｖのパルスからなり得、そのような一組のパルスが、５０回繰り返される。そのような振動波形の合計の時間は、２０００ｍｓｅｃであろう（図８参照）。
【００５８】
実際のところ、少なくとも１０回の繰り返し（即ち、１０組の正のパルスと負のパルス）であり得る。
【００５９】
駆動電圧を印加する前に、光学（又は視覚的）状態（黒色、白色又は赤色）にかかわらず、振動波形をディスプレイに印加することできる。振動波形を印加した後、光学状態は純粋な白色、純粋な黒色又は純粋な赤色では無いであろう。そのかわり、着色状態は、３タイプの顔料粒子の混合物からのものであろう。
【００６０】
上述の方法のために、振動波形を第１タイプの顔料粒子の着色状態（即ち、白色）にディスプレイを駆動する前に印加する。この印加した振動波形を用いると、白色状態は、振動波形を用いない場合とたとえある程度同様であっても、第３タイプの顔料粒子の着色状態（即ち、赤色）は、振動波形を用いない場合より、色の明度と色の純度の両方に関して、著しく良好である。このことは、赤色粒子から黒色粒子の分離と同様、赤色粒子から白色粒子のより良好な分離を示す。
【００６１】
振動波形中の各々の駆動パルスを、完全な黒色の状態（full black state）から完全な白色の状態（full white state）に、要する駆動時間の５０％を超えない（又は３０％、１０％又は５％を超えない）時間、印加する。例えば、もし、完全黒色状態から完全白色状態に又は逆にディスプレイデバイスを駆動するために３００ｍｓｅｃ要するならば、振動波形は、正の及び負のパルスからなり、各々１５０ｍｓｅｃ以下の時間印加され得る。実際、パルスはより短い方が好ましい。
【００６２】
例１（ｂ）
図３に示すような別の設計において、白色粒子（３１）は、５Ｖのしきい電圧を有すると仮定する。従って、白色粒子（３１）は、もし印加電位差が５Ｖ以下であれば、視野側に移動しないであろう。
【００６３】
白色顔料粒子（３１）は、負の電荷を帯び、黒色顔料粒子（３２）は、正の電荷を帯び、両方のタイプの顔料粒子は、着色粒子（色粒子又はカラー粒子：color particle）（３３）より小さい。
【００６４】
着色粒子（３３）は、しきい電圧を有する白色粒子と同じ極性の電荷を帯びるが、わずかに（又は少し）電荷を帯びる。用語「わずかに（又は少し）電荷を帯びる（又は帯電する）：slightly charged」とは、上述の例１（ａ）で規定した通りである。その結果、白色粒子のしきい電圧より印加電位差がより高い場合、より強い電荷強度を帯びているので、白色粒子は着色粒子（３３）より速く動く。
【００６５】
図３ａにおいて、印加電位差は−１５Ｖである。この場合、黒色粒子（３２）は、移動して画素電極（３５）に又はその近傍に存在し、白色粒子（３１）及び着色粒子（３３）は、移動して共通電極（３４）に又はその近傍に存在する。その結果、視野側で白色が見られる。着色粒子（３３）は、共通電極（３４）の方に移動するが、それらの低い電荷強度とより大きなサイズのため、それらは、白色粒子より遅く移動する。
【００６６】
図３ｂにおいて、＋１５Ｖの電位差を印加すると、白色粒子（３１）は、移動して画素電極（３５）に又はその近傍に存在し、黒色粒子は、移動して共通電極（３４）に又はその近傍に存在する。その結果、視野側で黒色が見られる。
【００６７】
着色粒子（３３）は、負の電荷を帯びるので、画素電極の方に移動する。しかし、それらの低い電荷強度とより大きなサイズのため、それらは、白色粒子より遅く移動する。
【００６８】
図３ｃにおいて、印加電位差は−５Ｖに変わった。この場合、正に帯電した黒色粒子（３２）は、画素電極（３５）の方に移動する。白色粒子（３２）は、５Ｖのしきい電圧のために、ほとんど移動しない。着色粒子（３３）は顕著なしきい電圧を有さないという事実のために、それらは、共通電極（３４）に又はその近傍に移動し、その結果、着色粒子の色が視野側から見られる。
【００６９】
例１（ｃ）
図４に示すように、しきい電圧を有する着色粒子（色粒子又はカラー粒子：color particle）を含むこともできる。この場合、印加電位差が５Ｖ以下であるならば、着色粒子（４３）は、視野側に移動しないであろう。
【００７０】
黒色顔料粒子（４２）は、負に帯電し、着色顔料粒子（４３）は、正に帯電し、両方のタイプの顔料粒子は、白色粒子（４１）より小さい。
【００７１】
白色粒子（４１）は、しきい電圧を有する着色粒子と同じ極性の電荷を帯びるが、わずかに（又は少し）電荷を帯びる。用語「わずかに（又は少し）電荷を帯びる（又は帯電する）：slightly charged」は、上述の例１（ａ）で規定した通りである。その結果、着色粒子のしきい電圧より印加電位差がより高い場合、より強い電荷強度を帯びるので、着色粒子は白色粒子（４１）より速く動く。
【００７２】
図４ａにおいて、印加電位差は＋１５Ｖである。この場合、黒色粒子（４２）は、移動して画素電極（４５）に又はその近傍に存在し、白色粒子（４１）及び着色粒子（４３）は、移動して共通電極（４４）に又はその近傍に存在する。その結果、視野側で着色粒子の色が見られる。白色粒子（４１）は、共通電極（４４）の方に移動するが、それらの低い電荷強度とより大きなサイズのため、それらは、着色粒子より遅く移動する。
【００７３】
図４ｂにおいて、−１５Ｖの電位差を印加する場合、着色粒子（４３）は、移動して画素電極（４５）に又はその近傍に存在し、黒色粒子は、移動して共通電極（４４）に又はその近傍に存在する。その結果、視野側で黒色が見られる。
【００７４】
白色粒子（４１）は、正に帯電しているので、画素電極の方に移動する。しかし、それらの低い電荷強度とより大きなサイズのため、それらは、着色粒子より遅く移動する。
【００７５】
図４ｃにおいて、印加電位差は＋５Ｖに変わった。この場合、負に帯電した黒色粒子（４２）は、画素電極（４５）の方に移動する。着色粒子（４３）は、５Ｖのしきい電圧のために、ほとんど移動しない。白色粒子（４１）は顕著なしきい電圧を有さないという事実のために、それらは、移動して共通電極（４４）に又はその近傍に存在し、その結果、白色が視野側から見える。
【００７６】
本発明の他の態様において、全ての３つのタイプの顔料粒子は、異なるレベルの電荷強度を有し、従って、異なるレベルの移動度（又は移動性）を有する。
【００７７】
例えば、第１及び第２タイプの粒子は、逆の極性の電荷を帯びる、そして第１タイプの粒子の電荷強度は、第２タイプの粒子の電荷強度の、少なくとも約２倍、好ましくは約３倍〜約１５倍であり、又はその逆である。第３タイプの粒子の電荷強度は、第１又は第２タイプの粒子の、どちらかより小さい電荷強度を有する粒子の電荷強度の、約５０％より小さく、好ましくは約５％〜約３０％である。具体的な例では、もし黒色粒子が白色粒子の２倍の電荷強度を有するならば、着色粒子は白色粒子の電荷強度の５０％より小さい電荷強度を有しえる。
【００７８】
最も小さい電荷強度を帯びる粒子が、他の二つのタイプの粒子より大きいことが好ましい。
【００７９】
異なるレベルの電荷強度のために、三タイプの顔料粒子は、異なるレベルの移動性を有するであろう。電荷強度が高いほど、粒子はより速く移動する。下記の例は、本発明のこの態様を説明する。
【００８０】
例２
この例を、図５に示す。黒色粒子（５２）の電荷強度は、白色粒子（５１）の２倍の電荷強度であり、従って、黒色粒子は白色粒子より２倍速く移動すると仮定する。着色粒子（５３）は、白色粒子の５０％の電荷強度より小さい電荷強度を有する。
【００８１】
従って、黒色粒子が共通電極と画素電極の間（ｄ）を移動するために駆動時間ｔを要し、同じ距離ｄを移動するために、白色粒子は２ｔ要し、着色粒子は少なくとも４ｔ要す。
【００８２】
更に、黒色粒子は正に帯電し、白色粒子は負に帯電している。着色粒子は、最も大きな強度を有する粒子、即ち、この場合は黒色粒子、と同じ極性の電荷を帯びる。
【００８３】
図５ａにおいて、負の電位差を、共通電極（５４）と画素電極（５５）に印加する場合、２ｔの駆動時間後、白色顔料粒子（５１）は共通電極（即ち、視野側）に又はその近傍に存在し、黒色顔料粒子（５２）は、画素電極に又はその近傍に存在するであろう。その結果、白色状態が見られる。着色粒子（５３）は、より大きなサイズ及びより低い電荷強度／より低い移動度のために、少し移動するであろう。更に、正に帯電しているので、画素電極（５５）の方に移動するであろう。
【００８４】
図５ｂにおいて、正の電位差を、共通電極（５４）と画素電極（５５）に印加する場合、２ｔの駆動時間後、黒色顔料粒子（５２）は共通電極に又はその近傍に存在し、白色顔料粒子（５１）は、画素電極に又はその近傍に存在するであろう。その結果。黒色状態が見られる。
【００８５】
低電荷強度及び低移動性のため、着色粒子は、ほとんど移動しないであろう。黒色粒子と着色粒子は同じ極性の電荷を帯びているが、黒色粒子は、より高い電荷強度とよりサイズが小さいので、移動して共通電極のより近くに存在するであろう。
【００８６】
図５ｃのステップの前に、白色粒子は画素電極（５５）に又はその近傍に存在し、黒色粒子と着色粒子は共通電極（５４）に又はその近傍に存在することが好ましい。図５ｃにおいて、共通電極（５４）と画素電極（５５）の間に、負の電位差を印加すると、駆動時間ｔの後、底部の白色粒子（５１）は、共通電極と画素電極の間の領域、およそ中間レベルの領域に移動し、一方、黒色粒子（５２）は、全部の距離ｄを移動して、画素電極に又はその近傍に存在するであろう。着色粒子は、下方に短い距離を移動するであろうが、共通電極のより近くにとどまるであろう。その結果、着色粒子（５３）の色が視野側で見られる。
【００８７】
この例で示すように、三つの光学状態の間のスイッチングは、従って、駆動タイムフレーム（又は時間：driving time frame）、駆動強度（又は駆動の大きさ：driving amplitude）又はその両方を制御することによって達成することができる。
【００８８】
この例でより大きくより遅く移動する粒子は、着色粒子である。しかし、設計は、ニーズに応じて種々変わり得る。黒色又は白色粒子を、より大きくより遅く移動する粒子にすることも可能である。
【００８９】
電気泳動ディスプレイデバイスの電気泳動流体は、ディスプレイセル内に満たされる。ディスプレイセルは、米国特許第6,930,818に記載されたようなマイクロカップでありえる。その内容は、参照することによって本明細書に組み込まれる。ディスプレイセルは、形状やサイズにかかわらず、他のタイプのマイクロコンテナ、例えば、マイクロカプセル、マイクロチャンネル又は均等物でもありえる。これらの全ては、本願発明の範囲内にある。
【００９０】
本発明の一の態様において、本発明の電気泳動流体を使用するディスプレイデバイスは、ハイライト（高光量又は高照度：high-light）ディスプレイデバイスであり、この態様において、着色粒子は、全てのディスプレイセル内で同じ色である。各ディスプレイセルは、そのようなハイライトディスプレイデバイス内で画素になるであろう。更に、図６に示すように、ディスプレイセルは、画素電極と整列することができ（図６ａ参照）、又は画素電極と整列しないこともできる（図６ｂ参照）。
【００９１】
もう一つの態様において、本発明の電気泳動流体を用いるディスプレイデバイスは、多色（マルチカラー）ディスプレイデバイスでありえる。この態様において、着色粒子は、ディスプレイセルで色が異なる。この態様において、ディスプレイセルと画素電極は整列している。
【００９２】
図７は、本発明のディスプレイデバイスを用いて、如何に多色を表示するかを示す。各々のディスプレイセルは、サブピクセル（sub-pixel）を意味し、各々のサブピクセルは、三つのサブピクセルを有する。三つのディスプレイセルは、各々サブピクセルを意味し、第３タイプの顔料粒子が、各々、赤色、緑色及び青色である本発明の電気泳動流体で満たされている。
【００９３】
図７ａにおいて、白色の画素を要する場合、全ての三つのサブピクセルは白色状態に変えられる。図７ｂにおいて、黒色の画素を要する場合、全ての三つのサブピクセルは黒色状態に変えられる。図７ｃにおいて、赤色の画素を要する場合、サブピクセルの一つは赤色に変えられ、残りの二つのサブピクセルは最大の彩度のために黒色状態に変えられる。同様に、図７ｄ及び図７ｅは、各々緑色及び青色を表示する。別法では、図７ｃ、７ｄ及び７ｅにおいて、サブピクセルの一つが、着色状態に駆動され、残りの二つは最大の明度（又は光度）のために（彩度を犠牲にして）白色状態に駆動される。更に、別法では、図７ｃ、７ｄ及び７ｅにおいて、サブピクセルの一つが、着色状態に駆動され、残りの二つのサブピクセルは、各々黒色状態と白色状態に駆動される。
【００９４】
本発明を、その具体的な態様を参照して説明したが、本発明の真の精神及び範囲から離れることなく、種々の変更が可能であり、均等物で置き換え可能であることを、当業者であれば、理解されるべきである。更に、本発明の目的及び範囲に、特定の状況、材料、組成物、プロセス、プロセスの工程又は複数の工程を適合させるために、多くの変更が可能である。全てのそのような変更は添付された特許請求の範囲内にあるように意図される。
【図１】
2019074768.tif 000003
【図２】
2019074768.tif 000004
【図３】
2019074768.tif 000005
【図４】
2019074768.tif 000006
【図５】
2019074768.tif 000007
【図６】
2019074768.tif 000008
【図７】
2019074768.tif 000009
【図８】
2019074768.tif 000010
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
ディスプレイデバイスの駆動方法であって、ディスプレイデバイスは、ディスプレイセルを含み、
ディスプレイセルは、電気泳動流体で満たされ、共通電極層と画素電極層との間に挟まれていて、
電気泳動流体は、第１タイプの顔料粒子、第２タイプの顔料粒子及び第３タイプの顔料粒子を含み、それらの全ては、溶媒又は溶媒混合物に分散され、
（ａ）第１タイプの顔料粒子と第２タイプの顔料粒子は、反対の極性の電荷を帯び；
（ｂ）第３タイプの顔料粒子は、第２タイプの顔料粒子と同じ極性の電荷を帯びるが、第３タイプの粒子は、第１タイプの顔料粒子および第２タイプの顔料粒子の電荷強度の５０％より小さい電荷強度を有し；
（ｃ）第２タイプの顔料粒子は、しきい電圧を有し、
第２タイプの顔料粒子のしきい電圧と同じ又は低い電圧を印加することによって、第１タイプの顔料粒子の色の状態から、第３タイプの顔料粒子の色の状態に電気泳動流体を駆動することを含む、
ディスプレイデバイスの駆動方法。
【請求項２】
第１タイプの顔料粒子と、第２タイプの顔料粒子は、各々、白色及び黒色である、請求項１に記載の方法。
【請求項３】
第３タイプの顔料粒子は、白色でも、黒色でもない、請求項１に記載の方法。
【請求項４】
第３タイプの顔料粒子は、赤色、緑色、青色、イエロー、シアン及びマゼンタからなる群から選択される色である、請求項３に記載の方法。
【請求項５】
第２タイプの顔料粒子のしきい電圧は、＋５ボルトまたは−５ボルトである、請求項１に記載の方法。
【請求項６】
第３タイプの顔料粒子は、第１タイプの顔料粒子及び第２タイプの顔料粒子より大きい、請求項１に記載の方法。
【請求項７】
第３タイプの顔料粒子は、第１タイプの顔料粒子又は第２タイプの顔料粒子より、約２倍〜約５０倍大きい、請求項６に記載の方法。
【請求項８】
電気泳動流体が、第１タイプの顔料粒子の色の状態に駆動される前に、振動波形を加えることを更に含む、請求項１に記載の方法。
【請求項９】
振動波形は、多くのサイクルの間に、一組の反対の駆動パルスを繰り返すことからなる、請求項８に記載の方法。
【請求項１０】
第１タイプの顔料粒子の完全な色の状態から、第２タイプの顔料粒子の完全な色の状態に駆動するために、又はその逆のために、必要とされる時間の半分以下の時間、各々の駆動パルスを印加する、請求項８に記載の方法。
【請求項１１】
第３タイプの粒子の色が、視野側で見られ、第１タイプの顔料粒子と、第２タイプの顔料粒子は、視野側と反対側に集まり、第１タイプの顔料粒子の色と、第２タイプの顔料粒子の色の中間色を生ずる、請求項１に記載の方法。
【請求項１２】
印加電圧は、第２タイプの粒子と同じ極性を有する、請求項１に記載の方法。
【請求項１３】
ディスプレイセルは、マイクロカップである、請求項１に記載の方法。
【請求項１４】
ディスプレイセルは、マイクロカプセルである、請求項１に記載の方法。
【手続補正２】
【補正対象書類名】明細書
【補正対象項目名】００９４
【補正方法】変更
【補正の内容】
【００９４】
本発明を、その具体的な態様を参照して説明したが、本発明の真の精神及び範囲から離れることなく、種々の変更が可能であり、均等物で置き換え可能であることを、当業者であれば、理解されるべきである。更に、本発明の目的及び範囲に、特定の状況、材料、組成物、プロセス、プロセスの工程又は複数の工程を適合させるために、多くの変更が可能である。全てのそのような変更は添付された特許請求の範囲内にあるように意図される。
本明細書の開示内容は、以下の態様を含み得る。
（態様１）
第１タイプの顔料粒子、第２タイプの顔料粒子及び第３タイプの顔料粒子を含む電気泳動流体であって、それらの全ては、溶媒又は溶媒混合物に分散され、
（ａ）第１タイプの顔料粒子と第２タイプの顔料粒子は、反対の極性の電荷を帯び；
（ｂ）第３タイプの顔料粒子は、第２タイプの顔料粒子と同じ極性の電荷を帯びるが、より強度が低く；
（ｃ）第２タイプの顔料粒子は、しきい電圧を有する、電気泳動流体。
（態様２）
第１タイプの顔料粒子と、第２タイプの顔料粒子は、各々、黒色及び白色である、態様１に記載の電気泳動流体。
（態様３）
第３タイプの顔料粒子は、白色でも、黒色でもない、態様１に記載の電気泳動流体。
（態様４）
第３タイプの顔料粒子は、赤色、緑色及び青色からなる群から選択される色である、態様３に記載の電気泳動流体。
（態様５）
第３タイプの顔料粒子は、第１タイプの顔料粒子又は第２タイプの顔料粒子より大きい、態様１に記載の電気泳動流体。
（態様６）
第３タイプの顔料粒子は、第１タイプの顔料粒子又は第２タイプの顔料粒子より、約２倍〜約５０倍大きい、態様５に記載の電気泳動流体。
（態様７）
第３タイプの粒子は、第１タイプの顔料粒子又は第２タイプの顔料粒子の電荷強度の約５０％より小さい電荷レベルを有する、態様１に記載の電気泳動流体。
（態様８）
しきい電圧は、第２タイプの顔料粒子の固有の特性である、態様１に記載の電気泳動流体。
（態様９）
しきい電圧は、添加剤によって誘起される性質である、態様１に記載の電気泳動流体。
（態様１０）
しきい電圧は、反対の電荷を帯びる粒子の相互作用による、態様１に記載の電気泳動流体。
（態様１１）
態様１に記載の流体で満たされるディスプレイセルを含むディスプレイデバイスであって、
共通電極層と画素電極層との間に、ディスプレイセルが挟まれる、ディスプレイデバイス。
（態様１２）
ディスプレイセルは、マイクロカップである、態様１１に記載のディスプレイデバイス。
（態様１３）
ディスプレイセルは、マイクロカプセルである、態様１１に記載のディスプレイデバイス。
（態様１４）
ディスプレイセルは、画素電極と整列する、態様１１に記載のディスプレイデバイス。
（態様１５）
ディスプレイセルは、画素電極と整列しない、態様１１に記載のディスプレイデバイス。
（態様１６）
第３タイプの顔料粒子は、全てのディスプレイセルで同色である、態様１１に記載のディスプレイデバイス。
（態様１７）
第３タイプの顔料粒子は、ディスプレイセルで異なる色である、態様１１に記載のディスプレイデバイス。
（態様１８）
第２タイプの顔料粒子のしきい電圧と同じ又は低い電圧を印加することによって、第１タイプの顔料粒子の色の状態から、第３タイプの顔料粒子の色の状態に駆動することを含む、態様１１に記載のディスプレイデバイスの駆動方法。
（態様１９）
第１タイプの顔料粒子と、第２タイプの顔料粒子は、各々、白色及び黒色である、態様１８に記載の方法。
（態様２０）
第３タイプの顔料粒子は、白色でも、黒色でもない、態様１８に記載の方法。
（態様２１）
第３タイプの顔料粒子は、赤色、緑色、青色、イエロー、シアン及びマゼンタからなる群から選択される色である、態様２０に記載の方法。
（態様２２）
第３タイプの粒子は、第１タイプの顔料粒子又は第２タイプの顔料粒子の電荷強度の５０％より小さい電荷レベルを有する、態様１８に記載の方法。
（態様２３）
第３タイプの顔料粒子は、第１タイプの顔料粒子及び第２タイプの顔料粒子より大きい、態様１８に記載の方法。
（態様２４）
第３タイプの顔料粒子は、第１タイプの顔料粒子又は第２タイプの顔料粒子より、約２倍〜約５０倍大きい、態様２３に記載の方法。
（態様２５）
ディスプレイが、第１タイプの顔料粒子の色の状態に駆動される前に、振動波形を加えることを更に含む、態様１８に記載の方法。
（態様２６）
振動波形は、多くのサイクルの間に、一組の反対の駆動パルスを繰り返すことからなる、態様２５に記載の方法。
（態様２７）
第１タイプの顔料粒子の完全な色の状態から、第２タイプの顔料粒子の完全な色の状態に駆動するために、又はその逆のために、必要とされる時間の半分以下の時間、各々の駆動パルスを印加する、態様２５に記載の方法。
（態様２８）
第３タイプの粒子の色が、視野側で見られ、第１タイプの顔料粒子と、第２タイプの顔料粒子は、視野側と反対側に集まり、第１タイプの顔料粒子の色と、第２タイプの顔料粒子の色の中間色を生ずる、態様１８に記載の方法。
（態様２９）
印加電圧は、第２タイプの粒子と同じ極性を有する、態様１８に記載の方法。
【外国語明細書】
2019074768.tif 000011
2019074768.tif 000012
2019074768.tif 000013
2019074768.tif 000014
2019074768.tif 000015
2019074768.tif 000016
2019074768.tif 000017
2019074768.tif 000018
2019074768.tif 000019
2019074768.tif 000020
2019074768.tif 000021
2019074768.tif 000022
2019074768.tif 000023
2019074768.tif 000024
2019074768.tif 000025
2019074768.tif 000026
2019074768.tif 000027
2019074768.tif 000028
2019074768.tif 000029
2019074768.tif 000030
2019074768.tif 000031
2019074768.tif 000032
2019074768.tif 000033
2019074768.tif 000034
2019074768.tif 000035
2019074768.tif 000036
2019074768.tif 000037
2019074768.tif 000038
2019074768.tif 000039
2019074768.tif 000040
2019074768.tif 000041
2019074768.tif 000042